(57)【要約】【課題】携帯電話機等の携帯電子機器において、他人との差別化又はマンネリ化等を解消するために、好みの装飾、例えば模様、図形等が印刷された台紙上の装飾シートを適宜に選択すると共に、再剥離再接着を可能な接着剤層を設けて、携帯電子機器の蓋体表面及び／又は本体部裏面に貼付し、随時、再剥離と再貼付を繰り返すことが可能な携帯電子機器用装飾シールを提供する。【解決手段】携帯電子機器用装飾シールＳは、裏面に設けられた再剥離再接着可能な接着剤層２と、その上にプラスチックフィルム３と、その上に粘着層４とその上に模様、図形、色彩、文字又は記号が上面に印刷された装飾シート５とからなる。【選択図】図１
0003137374.tif 000002
【実用新案登録請求の範囲】
【請求項１】
携帯電子機器の蓋体表面及び／又は本体裏面に再剥離再貼付可能な携帯電子機器用装飾シールであって、
裏面に設けられた再剥離再接着可能な接着剤層と、
その上にプラスチックフィルムと、
その上に粘着層と
その上に模様、図形、色彩、文字又は記号が上面に印刷された装飾シートとからなることを特徴とする携帯電子機器用装飾シール。
【請求項２】
前記装飾シートは、粘着層により前記プラスチックフィルムの上面に貼付され、前記プラスチックフィルムの下面には、再剥離再接着可能な接着剤が塗布されると共に、
前記装飾シートは、予め携帯電子機器の蓋体表面及び／又は本体裏面の外形形状、表示部又は操作部に適合する形状に形成されていることを特徴とする、請求項１に記載の携帯電子機器用装飾シール。
【請求項３】
前記装飾シートは、前記再剥離再接着可能な接着剤により台紙上に貼付されていることを特徴とする、請求項１〜請求項２の何れかに記載の携帯電子機器用装飾シール。
【請求項４】
前記装飾シートの上面に印刷された模様、図形、色彩、文字又は記号は、異種又は同種であり、携帯電子機器の蓋体表面用又は本体裏面用の複数枚が貼付されていることを特徴とする、請求項１〜請求項３の何れかに記載の携帯電子機器用装飾シール。
【請求項５】
前記携帯電子機器が携帯電話機、携帯音楽再生機又は携帯ゲーム機であることを特徴とする、請求項１〜請求項４の何れかに記載の携帯電子機器用装飾シール。
【考案の詳細な説明】
【技術分野】
【０００１】
本考案は、携帯電子機器用装飾シールに関する。
より詳しくは、携帯電子機器の蓋体表面及び／又は本体部裏面に、好みの装飾、例えば、その上に模様、図形等が印刷された装飾シートを適宜選択し、随時にこれを貼り替えて繰り返すことが可能な（再剥離再貼付可能な）携帯電子機器用装飾シール（台紙に保持された携帯電子機器用装飾シール）に関する。
【背景技術】
【０００２】
近年、小型で簡単な操作ができ、手軽に携行される携帯電話機、携帯音楽再生機又は携帯ゲーム機等の普及は顕著である。これらの携帯電子機器の携行者は、実務上又は趣味嗜好的な用途以外にアクセサリー目的で携行する場合がある。
【０００３】
上記の携帯電話機、携帯音楽再生機又は携帯ゲーム機等の多くは、各機器メーカーによってデザイン、色彩等において多少の差異はあるものの、例えば、その蓋体表面又は本体部裏面等は、メタリック調、黒、白、グレー又はその他の単一色に仕上げられているため、携帯電子機器ユーザーの中には、独自性がない、他人との差別化ができない、また長期使用によるマンネリ化に対する不満等を有する者がいる。特に、その傾向は若年層間に強くあり、これを解消するための一手段として、各ユーザーは携帯電話機等の携帯電子機器に、ストラップ、フィギュア又はその他種々のアクセサリー等を取り付けて独自色を出して携行している。
【０００４】
また、他人との差別化又はマンネリ化等を解消する他の手段として、携帯電話機等の蓋体表面に貼着する装飾シール類等が提案されている。
例えば、
特開２０００−２２７７５９の「携帯電話機用装飾シールとその製造方法」（特許文献１）、
実用新案登録３１１０７７７の「携帯用品のためのシールアクセサリー」（特許文献２）、実用新案登録３０６３５８０の「携帯電話機用装飾シール」（特許文献３）、
実用新案登録３０６１０５２の「携帯電話機の装飾用シ―ル」（特許文献４）等である。
【０００５】
特許文献１は、シートの裏面に粘着剤層を形成すると共に、該粘着剤層の下面に透明な剥離シートを貼着し、更に該透明な剥離シートの一部に予め帯状にカッティングを施して位置決め用剥離片を形成することを特徴としている。
【０００６】
特許文献２は、透明プラスチックフィルムによる表面シートに第１の粘着剤を塗布し、該第１の粘着剤の塗布面に装飾資材を用いて任意の形状にデザインした装飾模様を形成し、上記装飾資材の裏面に第２の粘着剤を塗布して上記表面シートとともにセパレーターに剥離可能に接合したものであって、上記第２の粘着剤の粘着力を上記第１の粘着剤よりも強く形成したことを特徴とする。
【０００７】
特許文献３は、携帯電話機の端末機に貼着されるものであって、薄い透明印刷シートの裏面側には適宜模様や絵柄等をデザインした転写シール部を転写可能に印刷すると共に端末機に設けられている番号等の表示部の外縁や数字や記号等の操作部の外縁等を示すガイドラインが転写不可能に印刷されていることを特徴としている。
【０００８】
特許文献４は、表面に装飾を施し裏面に粘着層を有する装飾シートと該装飾シートの粘着層側に剥離シートを有する装飾用シールであって、装飾シートには、携帯電話機の正面より若干小さめの形状の輪郭を有するくり抜き可能な切り目と、当該携帯電話機の正面にあるスピーカ、マイク、液晶表示部、及びダイヤルボタン等の操作部の位置に合わせた、これらより若干大き目の形状の輪郭を有するくり抜き可能な切り目とが入れてあることを特徴としている。
【０００９】
【特許文献１】特開２０００−２２７７５９号公報
【特許文献２】実用新案登録第３１１０７７７号公報
【特許文献３】実用新案登録第３０６３５８０号公報
【特許文献４】実用新案登録第３０６１０５２号公報
【考案の開示】
【考案が解決しようとする課題】
【００１０】
しかしながら、特許文献１〜４の「携帯電話機用装飾シールとその製造方法」ないし「携帯電話機の装飾用シ―ル」等による装飾シールは、いずれも携帯電話機等の蓋体表面に一度貼付すると、装飾シールに塗布されている粘着剤により、完全に蓋体表面に固着されてしまうので、新しい装飾シールに替えたいとき、古い装飾シールを指又は爪等で除去することは不可能であるために、カッターナイフやグラインダー等を用いて剥ぎ取らなければならない。したがって、携帯電話機等の蓋体表面は、カッターナイフ等によるキズが発生したり、蓋体表面を平滑にするためには、長時間の作業を要するという不具合がある。
また剥ぎ取られ装飾シール片や粉体は、破損したりキズ等が付いているので再使用することができず破棄しなければならないので、環境保全上問題があることが指摘される。
【００１１】
本考案が解決しようとする課題は、携帯電話機等の携帯電子機器において、他人との差別化又はマンネリ化等を解消するために、好みの装飾、例えば模様、図形等が印刷された台紙上の装飾シートを適宜に選択すると共に、再剥離再接着を可能な接着剤層を設けて、携帯電子機器の蓋体表面及び／又は本体部裏面に貼付し、随時、再剥離と再貼付を繰り返すことが可能な携帯電子機器用装飾シールを提供することにある。
本考案が解決しようとする課題は、再剥離再接着を可能な接着剤層を設けて、携帯電子機器の蓋体表面及び／又は本体部裏面に貼付し、廃棄することなく際使用が可能で、環境保全上問題がない（環境にやさしい）携帯電子機器用装飾シールを提供することにある。
本考案の特徴的構成要件は、再剥離再接着を可能な接着剤層を設けたことであり、本考案は、かかる特徴的構成要件により、当業者が予測不可能な顕著な効果を発揮することができる。
【課題を解決するための手段】
【００１２】
本考案者は、上記従来技術が有する問題点に鑑み、鋭意検討を重ね、課題を解決するための本考案を完成させたものである。
本願の明細書等に記載された用語の解釈上の疑義を解消すべく、以下の通り用語の説明を行う。
<用語の説明>
○再剥離再貼付可能な携帯電子機器用装飾シール
本願考案によれば、再剥離再接着可能な接着剤層を採用することにより、再剥離再貼付可能な携帯電子機器用装飾シールを、貼付された携帯電子機器から再剥離して台紙に貼付させておき、携帯電子機器に再貼付することが重要である。
ここに、再貼付とは、2回以上貼付することをいい、再剥離とは、2回以上剥離することをいう。
○再剥離再接着可能な接着剤層とは、2回以上剥離と2回以上接着が可能な接着剤が塗布された層をいい、本考案の特徴的構成要件である。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
課題を解決するための手段は、本願、実用新案登録請求の範囲の各請求項に記載の考案であり、その具体的な解決手段は、以下の通りである。
【００１３】
○第１の考案（請求項１に記載の考案）
上記の課題を解決するための第１の考案（請求項１に記載の考案）は、
携帯電子機器の蓋体表面及び／又は本体裏面に再剥離再貼付可能な携帯電子機器用装飾シールであって、
裏面に設けられた再剥離再接着可能な接着剤層と、
その上にプラスチックフィルムと、
その上に粘着層と
その上に模様、図形、色彩、文字又は記号が上面に印刷された装飾シートとからなることを特徴とする携帯電子機器用装飾シールである。
【００１４】
○第２の考案（請求項２に記載の考案）
上記の課題を解決するための第２の考案（請求項２に記載の考案）は、
前記装飾シートは、粘着層により前記プラスチックフィルムの上面に貼付され、前記プラスチックフィルムの下面には、再剥離再接着可能な接着剤が塗布されると共に、
前記装飾シートは、予め携帯電子機器の蓋体表面及び／又は本体裏面の外形形状、表示部又は操作部に適合する形状に形成されていることを特徴とする、請求項１に記載の携帯電子機器用装飾シールである。
【００１５】
○第３の考案（請求項３に記載の考案）
上記の課題を解決するための第３の考案（請求項３に記載の考案）は、
前記装飾シートは、前記再剥離再接着可能な接着剤により台紙上に貼付されていることを特徴とする、請求項１〜請求項２の何れかに記載の携帯電子機器用装飾シールである。
【００１６】
○第４の考案（請求項４に記載の考案）
上記の課題を解決するための第４の考案（請求項４に記載の考案）は、
前記装飾シートの上面に印刷された模様、図形、色彩、文字又は記号は、異種又は同種であり、携帯電子機器の蓋体表面用又は本体裏面用の複数枚が貼付されていることを特徴とする、請求項１〜請求項３の何れかに記載の携帯電子機器用装飾シールである。
【００１７】
○第５の考案（請求項５に記載の考案）
上記の課題を解決するための第５の考案（請求項５に記載の考案）は、
前記携帯電子機器が携帯電話機、携帯音楽再生機又は携帯ゲーム機であることを特徴とする、請求項１〜請求項４の何れかに記載の携帯電子機器用装飾シールである。
【考案の効果】
【００１８】
本考案に係る携帯電子機器用装飾シールは、上記のような特徴的構成要件から構成され、特徴的構成用件に応じた、以下のような本願考案特有の効果を奏する。また、上記のような特徴的構成要件から構成された携帯電子機器用装飾シールによれば、本願考案の課題を十分解消することができる。
○第１の考案の効果
第１の考案によれば、携帯電子機器の蓋体表面及び／又は本体裏面に再剥離再貼付可能な携帯電子機器用装飾シールであって、裏面に設けられた再剥離再接着可能な接着剤層と、
その上にプラスチックフィルムと、その上に粘着層とその上に模様、図形、色彩、文字又は記号が上面に印刷された装飾シートとからなるので、これにより、携帯電話機等の携帯電子機器において、他人との差別化又はマンネリ化等を解消するために、好みの装飾、例えば模様、図形等が印刷された台紙上の装飾シートを適宜に選択して剥離し、携帯電子機器の蓋体表面及び／又は本体部裏面に貼付し、随時、剥離と貼付を繰り返すことが可能な携帯電子機器用装飾シールを提供することができた。
第１の考案によれば、再剥離再接着を可能な接着剤層を設けて、携帯電子機器の蓋体表面及び／又は本体部裏面に貼付し、廃棄することなく際使用が可能で、環境保全上問題がない（環境にやさしい）携帯電子機器用装飾シールを提供することができた。
上記により、本考案の特徴的構成要件により、当業者が予測不可能な顕著な効果を発揮することができた。
【００１９】
○第２の考案の効果
第２の考案によれば、前記装飾シートは、粘着層により前記プラスチックフィルムの上面に貼付され、前記プラスチックフィルムの下面には、再剥離再接着可能な接着剤が塗布されると共に、前記装飾シートは、予め携帯電子機器の蓋体表面及び／又は本体裏面の外形形状、表示部又は操作部に適合する形状に形成されているるので、当該携帯電子機器への装飾シートの貼付及び貼り替え作業は、短時間で簡便に行うことができた。
【００２０】
○第３の考案の効果
第３の考案によれば、前記装飾シートは、前記再剥離再接着可能な接着剤により台紙上に貼付されているので、前記装飾シートが何回も繰り返し使用されて破棄することがないので、環境にも優しい。
【００２１】
○第４の考案の効果
第４の考案によれば、前記装飾シートの上面に印刷された模様、図形、色彩、文字又は記号は、異種又は同種であり、携帯電子機器の蓋体表面用又は本体裏面用の複数枚が貼付されているので、季節毎又は月毎、周毎の貼り替えは勿論、例えば、女性ならその日の服装に合わせて同色の色彩、模様の装飾シートを随時選択し、コーディネイトを楽しむことができた。
【００２２】
○第５の考案の効果
第５の考案によれば、携帯電子機器が携帯電話機、携帯音楽再生機又は携帯ゲーム機であるから、各種の携帯電子機器を所有するユーザーは、他人との差別化又はマンネリ化等を解消することができ、また、携帯電話機、携帯音楽再生機又は携帯ゲーム機等の装飾シートの模様、図形、色彩、文字又は記号等を、自分好みに統一することが可能で、興趣を高める効果をも併せて奏することができた。
【考案を実施するための最良の形態】
【００２３】
以下、本考案に係る携帯電子機器用装飾シールに関する最良の実施形態について、図面を参照しながら説明する。
図１は、本考案の携帯電子機器用装飾シール（以下、単にシールＳともいう）の積層構造を示す拡大断面図、
図２は、装飾シートを携帯電話機の蓋体表面及び本体裏面に貼付した状態の斜視図、
図３は、装飾シートを台紙上に貼付した状態の平面図、
図４は、装飾シートを携帯音楽再生機の蓋体表面に貼付した状態の斜視図、
図５は、装飾シートを携帯ゲーム機の蓋体表面に貼付した状態の斜視図である。
【００２４】
本考案のシールＳは、図１に示すように、プラスチックシート又は紙からなる台紙１、再剥離性接着剤層２、プラスチックフィルム３、粘着層４及び装飾シート５とから構成され、台紙１のプラスチックシート、プラスチックフィルム３及び装飾シート５の素材は、例えば、ポリ塩化ビニル、ポリエチレン、ポリプロピレン、ＰＥＴ等からなっている。
また、再剥離性接着剤層２の粘着剤としては、例えば、アクリル系樹脂、アクリル酸エステル樹脂、天然ゴム、カゼイン、ゼラチン、ロジンエステル、テルペン樹脂、フェノール系樹脂、スチレン系樹脂、クマロンインデン樹脂、ポリビニルエーテル、シリコーン樹脂等から選択される。５ａは、装飾シート５の上面に印刷された模様、図形、文字等の印刷層である。
【００２５】
図２は、装飾シート５を、携帯電話機Ｔの蓋体表面Ｔ１及び本体裏面Ｔ２に貼付した状態で、装飾シート５は、予め携帯電話機Ｔの蓋体表面Ｔ１、本体裏面Ｔ２の外形形状及びディスプレイ用の表示部Ｔ３に適合するように、カッテイングプロッタ等の裁断具でカッテイングされている。カッテイングされた装飾シート５は再剥離性接着剤層２により、蓋体表面Ｔ１及び本体裏面Ｔ２に貼付される。
【００２６】
図３は、印刷層５ａが異なる、カッテイングされた３組の装飾シート５を台紙１上に貼付した状態を示している。図３における台紙１の上段に貼付された装飾シート５ｂは、携帯電話機Ｔの蓋体表面Ｔ１用で、台紙１の下段に貼付された装飾シート５ｃは、本体裏面Ｔ２用である。図３に示すように、装飾シート５は、蓋体表面Ｔ１用及び本体裏面Ｔ２用のペアとしているが、蓋体表面Ｔ１用のみの単独とした印刷層５ａの異なる装飾シート５ｂを複数枚貼付することもできた。
【００２７】
図４は、印刷層５ａが木目調の装飾シート５を、携帯音楽再生機Ｍの蓋体表面Ｍ１に貼付した状態を示し、Ｍ２は操作部で、該装飾シート５は、外形形状と共に、操作部Ｍ２に適合するように、カッテイングプロッタ等の裁断具でカッテイングされて蓋体表面Ｍ１に貼付されている。なお図示していないが、蓋体表面Ｍ１と同じ印刷層５ａが木目調の装飾シート５を本体裏面Ｍ２に貼付することができるのは勿論である。
【００２８】
図５は、印刷層５ａが木目調の装飾シート５を、携帯ゲーム機Ｇの蓋体表面Ｇ１に貼付した状態を示し、Ｇ２は操作部で、該装飾シート５は、外形形状と共に、操作部Ｇ２に適合するように、カッテイングプロッタ等の裁断具でカッテイングされて蓋体表面Ｇ１に貼付されている。なお図示していないが、蓋体表面Ｇ１と同じ印刷層５ａが木目調の装飾シート５を本体裏面Ｇ２に貼付することができるのは勿論である。
【００２９】
次に、本考案に係るシールＳを、携帯電話機Ｔの蓋体表面Ｔ１に貼付する手順について図２及び図３等を参照して説明する。先ず、図３に示す台紙１に貼付されている木目調の装飾シート５ｂの端部を、指又は爪先等で捲りあげ、該装飾シート５ｂを台紙１から剥離した後、携帯電話機Ｔの蓋体表面Ｔ１に設けられている表示部Ｔ３を閉塞しないように蓋体表面Ｔ１に当接しながら、装飾シート５ｂを上方から押圧すれば、該装飾シート５ｂは、その下面に塗布された再剥離再接着可能な接着剤層２により、携帯電話機Ｔの蓋体表面Ｔ１に貼付される。また、携帯電話機Ｔの本体裏面Ｔ２に装飾シート５ｃを貼付するには、携帯電話機Ｔを反転させ、装飾シート５ｂを蓋体表面Ｔ１に貼付する手順と同様に、装飾シート５ｃの端部を、指又は爪先等で捲りあげ、該装飾シート５ｃを台紙１から剥離した後、携帯電話機Ｔの本体裏面Ｔ２に当接しながら、装飾シート５ｃを上方から押圧すれば、該装飾シート５ｃは、その下面に塗布された再剥離再接着可能な接着剤層２により、携帯電話機Ｔの蓋体表面Ｔ１に貼付される。
【００３０】
携帯電話機Ｔの蓋体表面Ｔ１及び本体裏面Ｔ２に貼付された、装飾シート５ｂ及び装飾シート５ｃを他の装飾シート５に貼り替えるときは、装飾シート５ｂ及び装飾シート５ｃの端部を、指又は爪先等で捲りあげ、該装飾シート５ｂ及び装飾シート５ｃを、携帯電話機Ｔの蓋体表面Ｔ１及び本体裏面Ｔ２から剥離し、再使用するために図３に示すように、台紙１の所定位置に貼付して保管される。
【図面の簡単な説明】
【００３１】
【図１】は、本考案の携帯電子機器用装飾シールの積層構造を示す拡大断面図である。
【図２】は、装飾シートを携帯電話機の蓋体表面及び本体裏面に貼付した状態の斜視図である。
【図３】は、装飾シートを台紙上に貼付した状態の平面図である。
【図４】は、装飾シートを携帯音楽再生機の蓋体表面に貼付した状態の斜視図である。
【図５】は、装飾シートを携帯ゲーム機の蓋体表面に貼付した状態の斜視図である。
【符号の説明】
【００３２】
Ｓ                                    シール
Ｔ                                    携帯電話機
Ｍ                                    携帯音楽再生機
Ｇ                                    携帯ゲーム機
１                                    台紙
２                                    再剥離再接着可能な接着剤層
３                                    プラスチックフィルム
４                                    粘着層
５                                    装飾シート
５ａ                                  印刷層
５ｂ                                  装飾シート
Ｔ１                                  携帯電子機器の蓋体表面
Ｔ２                                  携帯電子機器の本体裏面
Ｔ３                                  表示部
Ｍ２                                  操作部
【図１】
0003137374.tif 000003
【図２】
0003137374.tif 000004
【図３】
0003137374.tif 000005
【図４】
0003137374.tif 000006
【図５】
0003137374.tif 000007